(57)【要約】      （修正有）【課題】容器の換気ができ、さらには、虫などの侵入を防ぐことができる食品包装用容器を提供する。【解決手段】食品包装用容器は、熱可塑性合成樹脂シートからなる食品包装用容器であって、収容部２ａを有する本体部２と、下端部が本体部２の上端部と重なり閉蓋できる蓋部３と、本体部２及び蓋部３の一縁部側を連結したヒンジ部４と、ヒンジ部４の内側に位置し、本体部２の上端部を下方に凹ませて形成した通気部５と、を備えたことを特徴とする。【選択図】図２
2015030517.tif 000002
【特許請求の範囲】
【請求項１】
熱可塑性合成樹脂シートからなる食品包装用容器であって、収容部を有する本体部と、下端部が本体部の上端部と重なり閉蓋できる蓋部と、本体部及び蓋部の一縁部側を連結したヒンジ部と、ヒンジ部の内側に位置し、本体部の上端部を下方に凹ませて形成した通気部と、を備えた食品包装用容器。
【請求項２】
通気部は、本体部の上端部を段状に所定長さで凹ませて形成した請求項１に記載の食品包装用容器。
【請求項３】
蓋部に、閉蓋時に、内面から下方に突出し、本体部の内面に沿う滴下部を全周に渡り形成した請求項１又は２に記載の食品包装用容器。
【発明の詳細な説明】
【技術分野】
【０００１】
本発明は、弁当、惣菜、生鮮食料品などの収容に用いることができる食品包装用容器に関する。
【背景技術】
【０００２】
スーパー、デパートやコンビニエンスストアなどの小売店の店頭には、弁当、惣菜或いは青果物、刺身などの生鮮食料品等の食品が食品包装用容器に包装されて数多く陳列されている。このような食品包装用容器は、例えば、ＰＥＴ、ポリスチレン、ポリプロピレンなどからなる熱可塑性合成樹脂シートを、真空成形や圧空成形など熱成形して製造されているものが多い。
食品包装用容器は、蓋部などに通気孔を設けて換気ができるようにしてあり、弁当、惣菜などの発生した蒸気を抜いたり、青果物、生鮮食料品などは鮮度を保ったりすることができるようにしてある。
【０００３】
例えば、下記特許文献１に記載の生鮮食料品用容器は、本体と蓋体との全接合面間に複数個の通気口を開設したものであり、埃などの異物を侵入し難くしながら換気ができるようにしたものである。
【０００４】
【特許文献１】実開昭５８−１４９３７７号公報
【発明の概要】
【発明が解決しようとする課題】
【０００５】
特許文献１に開示の容器は、通気口を形成したため容器内部の換気をすることができ、また、通気口が横向きに開口しているため、埃などの侵入を防ぎやすいものである。
しかし、通気口が開放状態であるため、容器内部に食品を収容し、長時間に渡り陳列した場合は小蠅などの虫等が侵入してくるおそれがあった。
【０００６】
そこで、本発明の目的は、容器内部の換気ができ、さらには、虫等の侵入を防ぐことができる食品包装用容器を提供することにある。
【課題を解決するための手段】
【０００７】
本発明の食品包装用容器の一態様は、熱可塑性合成樹脂シートからなる食品包装用容器であって、収容部を有する本体部と、下端部が本体部の上端部と重なり閉蓋できる蓋部と、本体部及び蓋部の一縁部側を連結したヒンジ部と、ヒンジ部の内側に位置し、本体部の上端部を下方に凹ませて形成した通気部と、を備えたことを特徴とする。
【０００８】
上記容器は、ヒンジ部の内側に通気部を設けたため、通気部の開口がヒンジ部で覆われ、虫等の侵入を防ぐことができるものである。
【０００９】
上記容器の好ましい態様として、通気部は、本体部の上端部を段状に所定長さで凹ませて形成することができる。
このような構成にすることにより、通気部の開口を長く形成でき、換気が良好に行うことができる。
【００１０】
上記容器の好ましい態様として、蓋部に、閉蓋時に、内面から下方に突出し、本体部の内面に沿う滴下部を全周に渡り形成することができる。
このような構成にすることにより、蓋部内面に結露した水分が滴下部から容器内部に滴下するため、結露が容器外部に排出されにくくなり、容器を持ち上げる際に手などが濡れるおそれを防ぐことができる。
【図面の簡単な説明】
【００１１】
【図１】本発明の食品包装用容器の一実施形態を示し、開蓋時の平面図である。
【図２】図１に示した容器のＡ−Ａ線断面図である。
【図３】図1に示した容器のヒンジ部付近を示した部分拡大斜視図である。
【図４】図1に示した容器の閉蓋時の断面図である。
【図５】図1に示した容器の閉蓋時における通気部付近の部分拡大断面図である。
【発明を実施するための形態】
【００１２】
以下、本発明の食品包装用容器の一実施形態を、図面に基づいて説明する。
【００１３】
本発明の一実施形態の食品包装用容器１は、図１又は図２などに示すように、本体部２と蓋部３とを備え、本体部２と蓋部３とはヒンジ部４で連結してある。
食品包装用容器１は、食品などを包装する容器として用いることができ、お弁当の容器、惣菜を収容する容器、青果物、刺身などの生鮮食品を収容する容器などとして用いることができる。
食品包装用容器１は、本実施形態では、横長長方体状に形成してあるが、これに限定されるものではなく、例えば、立方体状、六角柱状などに形成することもできる。
【００１４】
食品包装用容器１は、例えば、熱可塑性合成樹脂シートを熱成形して製造することができる。より詳しくは、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。
この熱可塑性合成樹脂シートは、透明乃至半透明にすることが好ましいが、白色、黒色、青色、赤色などの有色にすることもできる。
【００１５】
本体部２は、本実施形態では、図１又は図２などに示すように、平面視長方形状の底面部２ａと、その各縁部から上方に向け略垂直状に立ち上がる周壁部２ｂとを備え、その内部を、食品などを収容する収容部２ｃとして形成してある。周壁部２ｂの上端部には所定幅の平面状の上端面部２ｄを形成し、その外縁部には下方に垂下させた垂下面２ｅを形成し、さらに垂下面２ｅの下端部には外方に張り出すフランジ部２ｆを形成してある。垂下面２ｅは、その面上に水平方向に筋状に凹ませた箇所を複数形成してあり、蓋部３と外嵌合できるように形成してある。また、収容部２ｃ内には仕切を設けて区画するようにしてもよい。
【００１６】
本体部２の上端面部２ｄは、図３などに示すように、ヒンジ部４の内側になる箇所の一部分を凹ませて通気部５を形成してある。通気部５は、本体部２の上端面部２ｄを段状に所定長さで凹ませて形成することができる。通気部５は、ヒンジ部４側の縁部の中央付近に形成することが好ましい。また、垂下面２ｅ及びフランジ部２ｆの通気部５と対応する位置を段状に凹ませておくと容器内部の換気がしやすくなる。
【００１７】
通気部５は、本体部２縁部の長さの５％〜８０％、特に３０％〜５０％の長さに形成することが好ましい。この際の本体部２縁部は、ヒンジ部４を設けた一縁部を示す。また、本体部２の高さに対して５％〜３０％、特に１０％〜２０％の深さに形成することが好ましい。通気部５は、１箇所ではなく２箇所など複数箇所設けてもよい。
【００１８】
蓋部３は、本実施形態では、図４などに示すように、本体部２を閉蓋して本体部２の上端部と蓋部３の下端部が重なり、本体部２の上面側を被覆することができるものであり、上面を形成する天板部３ａと、天板部３ａの周囲に下方傾斜する周壁部３ｂとを備える。周壁部３ｂの下端部には外方に張り出す所定幅の平面状の下端面部３ｃを形成し、その外縁部には下方に垂下させた垂下面３ｄを形成し、さらに垂下面３ｄの下端部には外方に張り出すフランジ部３ｅを形成してある。閉蓋時に、下端面部３ｃは上端面部２ｄ上に載り、フランジ部３ｅはフランジ部２ｆと重なるように形成してある。垂下面３ｄは、その面上に水平方向に筋状に凹ませた箇所を複数形成してあり、本体部２の垂下面２ｅに外嵌合できるように形成してある。
【００１９】
フランジ部３ｅのヒンジ部４側には、図３などに示すように、一部分を凹ませて通気補助部６を形成することができる。通気補助部６は、フランジ部３ｅを段状に所定長さで凹ませて形成することができる。通気補助部６は、閉蓋時に、通気部５と連なる位置に形成し、連通して通気口とすることができる。本実施形態ではヒンジ部４側の縁部の中央付近に形成してある。通気補助部６を形成することにより、換気が良好になる。
【００２０】
蓋部３には、閉蓋時において、内面から下方に突出する滴下部７が全周に渡り形成してあり、本体部２の周壁部２ａの内面に沿うように形成してある。滴下部７は、周壁部２ａの内面と若干隙間ができるように形成するのが好ましい。より詳しくは、図４などに示すように、滴下部７は、下端面部３ｃの内方側周端部から下方に略垂下させて形成してある。滴下部７の先端部は、通気部５よりも下方に位置させることが好ましい。
滴下部７を形成することにより、蓋部３に結露した水分が蓋部３の内面を伝わり、滴下部７の先端部から本体部２の収容部２ａ内に滴下するため、容器外部に結露が排出されることを防ぐことができ、容器１を持ち上げる際に手などが濡れるおそれがない。
【００２１】
ヒンジ部４は、図１又は図２などに示すように、本体部２及び蓋部３の一縁部側を連結し、該一縁部の一部又は全部に薄板状に形成することができる。ヒンジ部４は、通気部５の外側に形成してあるため、閉蓋時に、湾曲状に折れ曲がり通気部５の開口を覆うことができる。ヒンジ部４は、通気部５の長さに対して１１０％〜４００％、特に１５０％〜２５０％の長さに形成することが好ましい。また、ヒンジ部４は、本実施形態では本体部２及び蓋部３と一体的に形成してあるが、別体として形成してもよい。
【００２２】
このような食品包装用容器１は、図５などに示すように、閉蓋時に通気部５が容器内部と外部とを連通させるので、図５の矢印に示す如く水蒸気などが流れて換気することができる。また、通気部５は開口がヒンジ部４で覆われているので虫などの侵入を防ぐことができる。
【００２３】
また、滴下部７を形成することにより、蓋部３に結露した水滴が滴下部７の先端部から本体部２の収容部２ａ内に滴下するため、容器外部に水滴が排出されることを防ぐことができ、容器１を持ち上げる際に手などが濡れるおそれがない。
【００２４】
上記実施形態の構成態様は、本発明を限定するものとして挙げたものではなく、技術目的を共通にするかぎり変更は可能であり、本発明はそのような変更を含むものである。
【符号の説明】
【００２５】
１食品包装用容器
２本体部
２ａ底面部
２ｂ周壁部
２ｃ収容部
２ｄ上端面部
２ｅ垂下面
２ｆフランジ部
３蓋部
３ａ天板部
３ｂ周壁部
３ｃ下端面部
３ｄ垂下面
３ｅフランジ部
４ヒンジ部
５通気部
６通気補助部
７滴下部
【図１】
2015030517.tif 000003
【図２】
2015030517.tif 000004
【図３】
2015030517.tif 000005
【図４】
2015030517.tif 000006
【図５】
2015030517.tif 000007